(57)【要約】【課題】  被施術者の各々に応じたアロマテラピーが可能であり、施術者や被施術者の両方にとって時間的・精神的な負担が少なく、且つ、省スペース化を図ることが可能な洗髪台を提供する。【解決手段】  所定位置に被施術者の頭部が配置され、洗髪で使用された水等を受ける洗髪用ボウル１を備える洗髪台Ｓであり、芳香剤を収納する収納空間２を有し、洗髪用ボウル１には当該収納空間２と連続する貫通孔１ｈが設けられている【選択図】  図１
2005279112.tif 000002
【特許請求の範囲】
【請求項１】
所定位置に被施術者の頭部が配置され、洗髪で使用された水等を受ける洗髪用ボウルを備える洗髪台において、
芳香剤を収納する収納空間を有し、洗髪用ボウルには当該収納空間と連続する貫通孔が設けられていることを特徴とする洗髪台。
【請求項２】
前記収納空間が洗髪用ボウルの外周面に沿って形成されていること特徴とする請求項１記載の洗髪台。
【請求項３】
前記収納空間に通じる開口を開閉する開口開閉手段を備えることを特徴とする請求項１又は請求項２に記載の洗髪台。  
【請求項４】
前記収納空間に通じる開口が洗髪用ボウルの上端に沿って形成されており、上記開口開閉手段は当該開口に被せるように配置され、中央付近を境界として折り畳み可能となっていることを特徴とする請求項３記載の洗髪台。
【請求項５】
前記収納空間に芳香剤を注入するための注入孔が設けられていることを特徴とする請求項１乃至請求項４のいずれか１項に記載の洗髪台。
【請求項６】
前記収納空間に収納された芳香剤を加熱する加熱手段を備えることを特徴とする請求項１乃至請求項５のいずれか１項に記載の洗髪台。
【請求項７】
被施術者の頭部が所定位置に配置されたときに首に当る位置に保温効果のあるクッションが設けられていることを特徴とする請求項１乃至請求項６のいずれか１項に記載の洗髪台。
【請求項８】
前記洗髪用ボウルには、被施術者の頭部が所定位置に配置されたときに首に当る箇所に保温効果のあるクッションが設けられていることを特徴とする請求項１乃至請求項７のいずれか１項に記載の洗髪台。
【請求項９】
前記洗髪用ボウルに設けられた貫通孔を開閉する貫通孔開閉手段を備えることを特徴とする請求項１乃至請求項８のいずれか１項に記載の洗髪台。
【発明の詳細な説明】
【技術分野】
【０００１】
本発明は、所定位置に人の頭部が配置されて洗髪が行われ、洗髪で使用された水等を受ける洗髪用ボウルを備える洗髪台に関するものであり、特に美容院や理容室で使用される洗髪台に関する。
【背景技術】
【０００２】
美容院や理容室等には、美容師や理容師等の施術者が顧客等の被施術者の髪を洗髪するための洗髪台が設けられている。たとえば、下記特許文献１には美容院や理容室で使用される洗髪台が開示されている。洗髪台の前にはイスが配置されており、施術者は、被施術者が着座した状態でイスの背凭れを倒伏して仰向けにし、洗髪台に設けられている洗髪用ボウルに近接する位置に被施術者の頭部を位置させてシャンプーやリンス等の洗髪を行う。洗髪に使用された水等は、洗髪用ボウルに受けられて、排水口から排出される。
【特許文献１】特開２００２−２８２０８０
【発明の開示】
【発明が解決しようとする課題】
【０００３】
ところで、近年は、美容や健康の増進に高い関心が寄せられている。また、ストレス過多の社会状況を背景に、心身ともにリラックスしたいという「癒し」のニーズが高まりつつある。美容・健康の増進や癒しを実現する手法の一つとして、アロマテラピーが注目されている。アロマテラピーは、芳香療法又は代替療法（西洋医学療法に代替される療法）の一つであり、花や茎や蕾などの植物の部位の持つ芳香物質をかいだり、化粧品に混ぜて肌につけたりして健康や美容の増進をはかるものである。一般的には、芳香成分を含むオイル状の芳香剤（アロマオイル）を加熱したり、芳香成分を含むキャンドル状の芳香剤を燃焼させたりすることにより、芳香成分を揮発させ、その芳香成分を被施術者に吸引させることにより施術される。
【０００４】
一方、美容院や理容室では主に洗髪や整髪等のように髪のみに対する処置が行われており、髪以外に関する美容や、健康、癒しなどを考慮しているところはほとんどない。そこで、上記ニーズに対応して美容院や理容室にアロマテラピーを取り入れ、髪を含めた美容全般や健康の増進を図り、癒しを与えることにより、被施術者の満足感を更に高めることが可能であると考えられる。
【０００５】
しかし、アロマテラピーは被施術者の状態や目的に応じた芳香剤で施術するのが好ましいところ、美容院や理容室の空間全体に芳香剤を香らせる等のような方法では、被施術者の各々に適した芳香剤を使用することは不可能である。また、洗髪や整髪等の従来からの施術内容と分離させて別途アロマテラピーを行うことは、施術者や被施術者の両方にとって時間的・精神的な負担が大きい。美容院や理容室内の限られた空間においては、アロマテラピー用のスペースを別途確保するのは困難な場合も多い。
【０００６】
そこで、本発明は、被施術者の各々に応じたアロマテラピーが可能であり、施術者や被施術者の両方にとって時間的・精神的な負担が少なく、且つ、省スペース化を図ることが可能な洗髪台を提供することを目的とする。
【課題を解決するための手段】
【０００７】
本発明の洗髪台は、所定位置に被施術者の頭部が配置され、洗髪で使用された水等を受ける洗髪用ボウルを備える洗髪台において、芳香剤を収納する収納空間を有し、洗髪用ボウルには当該収納空間と連続する貫通孔が設けられていることを特徴とする。芳香剤としては、アロマオイル等が好ましい。
【０００８】
この発明によれば、収納空間に芳香剤を収納すると、芳香剤の芳香成分が洗髪用ボウルの貫通孔から排出される。被施術者は洗髪に際して芳香成分を吸引でき、アロマテラピーによる美容・健康の増進や癒しの効果が得られる。洗髪台は被施術者が一人ずつ使用するため、その被施術者の状態や目的に応じた芳香剤を使用することが可能である。洗髪の前後や洗髪と同時にアロマテラピーを行うことができるため、施術者や被施術者の時間的・精神的な負担も少なく、アロマテラピー用のスペースを別途設ける必要もない。
【０００９】
上記本発明の洗髪台は、収納空間が洗髪用ボウルの外周面に沿って形成されていることが好ましい。この発明によれば、洗髪用ボウルの外周面に沿って収納空間が形成されていることから、洗髪用ボウルの貫通孔から芳香成分が効率的に排出される。
【００１０】
上記本発明の洗髪台は、収納空間に通じる開口を開閉する開口開閉手段を備えることが好ましい。この発明によれば、収納空間を清掃する場合には、開口開閉手段により開口を開けてブラシ等を挿入すれば簡単に清掃等を行うことができる。アロマテラピーを施術する場合には、開口開閉手段により開口を閉じて芳香成分が開口から逃げないようにすることで、芳香成分を効率良く排出させることができる。
【００１１】
上記本発明の洗髪台は、上記収納空間に通じる開口が洗髪用ボウルの上端に沿って形成されており、上記開口開閉手段は当該開口に被せるように配置され、中央付近を境界として折り畳み可能となっていることが好ましい。この発明によれば、開口を開閉するカバーは中央付近を境界として折り畳み可能となっているため、カバーを折り畳んで開口を開いた状態として清掃等を行うことができる。清掃等に際しては、カバー全体を取り外す必要がなく、カバーを折り畳む動作だけで開口の略半分を開いた状態とすることができる。したがって、開口開閉手段によって、収納空間を隅々まできれいに且つ簡単に清掃することができる。また、開口が洗髪用ボウルの上端に沿って位置するため清掃等が容易である。
【００１２】
上記本発明の洗髪台は、上記収納空間に芳香剤を注入するための注入孔が設けられていることが好ましい。この発明によれば、注入孔から芳香剤を注入するだけで、簡単に芳香剤を収納空間に収納することができる。
【００１３】
上記本発明の洗髪台は、前記収納空間に収納された芳香剤を加熱する加熱手段を備えることが好ましい。この発明によれば、収納空間に収納された芳香剤は加熱により揮発するため、より多くの芳香成分を貫通孔から排出させることができる。
【００１４】
上記本発明の洗髪台は、被施術者の頭部が所定位置に配置されたときに首に当る位置に保温効果のあるクッションが設けられていることが好ましい。保温効果のあるクッションとしては、袋状のパックに保温効果のあるジェルが封入された温パックジェルが良い。この発明によれば、被施術者の首を保温効果のあるクッションに載置させた状態として、頭部を所定位置に配置させることにより、首が痛くならず、また、首が温められて心地よさを得ることができる。
【００１５】
上記本発明の洗髪台は、前記洗髪用ボウルに設けられた貫通孔を開閉する貫通孔開閉手段を備えることが好ましい。この発明によれば、貫通孔開閉手段によって洗髪ボウルに設けられた貫通孔を閉塞させることにより、洗髪等を行った場合でも芳香剤が収納される収納空間に水が侵入する事態を防止することができる。アロマテラピーを施術する場合は、貫通孔開閉手段によって貫通孔を開口させることにより、貫通孔から芳香成分を排出させることができる。
【００１６】
上記本発明の洗髪台は、少なくとも上記洗髪用ボウルが陶器製であることが好ましい。この発明によれば、洗髪用ボウルが陶器製であるため、やさしい風合いとなり、視覚的にも癒しの効果が得られる。
【発明の効果】
【００１７】
本発明の洗髪台によれば、洗髪台の洗髪用ボウルの貫通孔から排出される芳香成分により被施術者に対してアロマテラピーを施術することができるため、被施術者の状態や目的に応じた芳香剤を使用してアロマテラピーを施術することができる。洗髪の前後や洗髪と同時にアロマテラピーを施術することができるため、施術者と被施術者の両者にとって時間的・精神的負担が少ない。アロマテラピー用のスペースを新たに設ける必要もないので、省スペース化を図ることができ、美容院や理容室の限られたスペースでの使用にも好適である。
【発明を実施するための最良の形態】
【００１８】
以下、本発明の洗髪台について、図面を参照しながら詳細に説明する。
【００１９】
本実施の形態の洗髪台Ｓは、主に美容院や理容室で使用される洗髪台Ｓである。図１は、本発明の洗髪台Ｓの斜視図であり、図２はその断面図であり、図３はその背面図である。この洗髪台Ｓは、施術者の頭部を所定位置に仰向け状態で配置させて洗髪するものであり、洗髪で使用された水等を受ける洗髪用ボウル１を備える。洗髪用ボウル１は、内部中空のケース状の基台３に支持されている。洗髪用ボウル１の近傍にはシャワー４が取り付けられており、所定位置に配置された施術者の髪を洗髪可能となっている。
【００２０】
洗髪用ボウル１は、複数の貫通孔１ｈが設けられており、基台３に設けられた取付枠３ａに嵌め込まれて取り付けられている。取付枠３ａは洗髪用ボウル１よりも一回り大きく、洗髪用ボウル１が取り付けられた状態において、洗髪用ボウル１と取付枠３ａとの間に隙間（収納空間）２が設けられており、この隙間２がアロマオイル等の芳香剤を収納する収納空間２となっている。この収納空間２は上方に開口しており、洗髪用ボウル１の上端部に沿って開口２ａが形成されている。洗髪用ボウル１には、厚み方向に貫通して収納空間２と連続する貫通孔１ｈが複数設けられている。洗髪用ボウル１の中央付近には、シャワー４からの水や蛇口（図示せず）からの水を排出する排水口６が設けられている。
【００２１】
収納空間２の開口２ａには、この開口２ａを開閉するカバー状の開口開閉手段７が取り付けられている。この開口開閉手段７は、開口２ａを塞ぐ幅を有するドーナツ形状を呈する。開口開閉手段７は、開口２ａに被せられ、複数箇所においてクリップ等の固定手段７ａにより洗髪台Ｓに固定されており、この固定手段７ａを解除することにより取り外し可能となっている。また、開口開閉手段７は、中央付近を境界７ｂとして折り畳み可能となっている。図４は、開口開閉手段７を折畳んで開口２ａを開口させる状態を説明する説明図である。境界７ｂを中心として一方側と他方側の両方から折り畳むことが可能であり、折り畳んだ状態において開口２ａの略半分が開いた状態となる。また、開口開閉手段７には、収納空間２に芳香剤を注入するための注入孔７ｃが複数箇所に設けられている。注入孔７ｃは、開口開閉手段７の厚み方向に貫通し、収納空間２と連続している。
【００２２】
また、洗髪台Ｓは、収納空間２に収納された芳香剤を加熱する加熱手段（図示せず）を備える。加熱手段としては、洗髪用ボウル１や取付枠３ａの外周面に配される熱線等が挙げられる。芳香剤を加熱することにより、芳香成分の揮発を促進することができる。とくにアロマオイルなどのオイル状の芳香剤に対して有効である。
【００２３】
また、洗髪台Ｓは、洗髪用ボウル１の貫通孔１ｈを開閉する貫通孔開閉手段８を備える。図５は、貫通孔開閉手段８を洗髪台Ｓに取り付けたときの一部断面図である。貫通孔開閉手段８は、洗髪用ボウル１の内側面に沿う形状のゴム製のシート状部材であり、貫通孔１ｈに対応する突起８ａと、排水口６に対応した開口が設けられている。この貫通孔開閉手段８は、貫通孔１ｈに突起を対応させるようにして洗髪用ボウル１の内側面に被せ、突起８ａを貫通孔１ｈに押し込むことにより貫通孔１ｈを閉じた状態とし、洗髪用ボウル１の内側面から取り外すことにより貫通孔１ｈを開いた状態とする。
【００２４】
上記洗髪用ボウル１には、被施術者の頭部が所定位置に配置されたときに首に当る位置に保温効果のあるクッション５が設けられている。クッション５は、袋状のパックに保温効果のあるジェルが封入された温パックジェルなどが好ましい。その他、柔軟性・保温性を備えるものであれば良い。
【００２５】
シャワー４は、基台３から取り付け／取り外し自在となっている。ホース部分は基台３に収納されており、このホース部分を基台３から引き出すようにして長さが調節できるようになっている。
【００２６】
洗髪用ボウル１の排水口６は、基台３の内部に配される排水パイプ９と連結されており、この排水パイプ９は、基台３の後方において外に引き出されている。排水パイプ９には、途中に網状の受皿１０が取り付けられており、受皿１０によって排水口６からの髪の毛等のゴミが受け止められるようになっている。基台３の背面にはドア付きの小窓１１が設けられており、この小窓１１から受皿１０に溜まったゴミを掃除することができるようになっている。また、基台３には操作ボタン１２ａ，１２ｂ，１２ｃが設けられている。操作ボタン１２ａは、シャワー４からの水の温度を調節する調節手段であり、操作ボタン１２ｂは、芳香剤を加熱する際の加熱温度を制御するスイッチである。操作ボタン１２ｃは、芳香成分がスチームに含有された状態で排出される場合に設けられ、スチームの量や排出を制御するスイッチである。
【００２７】
つぎに、本実施の形態の洗髪台Ｓの使用例を説明する。洗髪台Ｓは、洗髪用ボウル１から貫通孔開閉手段８を外して貫通孔１ｈを開いた状態とし、開口開閉手段７により収納空間２の開口２ａを閉じた状態としておく。美容師等の施術者は、顧客等の被施術者の頭部を仰向けにし、クッション５に首後方を載置するように頭部を配置させる。被施術者はクッション５により首が痛くならず、また、首が温められて心地よさを得ることができる。開口開閉手段７の注入孔７ｃからアロマオイル等の芳香剤を注入して収納空間２に収納し、操作ボタン１２ｂをオンにして収納空間２に収納された芳香剤を加熱する。芳香剤は加熱によって芳香成分が揮発し、貫通孔１ｈを通って排出される。収納空間２は洗髪用ボウル１の外周に沿って設けられており、収納空間２の開口２ａは開口開閉手段７により閉じられているため、揮発した芳香成分は貫通孔１ｈから効率良く排出される。被施術者は、貫通孔１ｈから排出される芳香成分を吸引することで、アロマテラピーによる美容・健康の増進や癒しの効果を得ることができる。
【００２８】
洗髪台Ｓは被施術者が一人ずつ使用するため、その被施術者の状態や目的に応じた芳香剤を使用することも可能である。その際、洗髪前にカウンセリングを行い、皮膚の活性化を希望する場合はイランイラン、不眠症の場合にはラベンダー等のように、被施術者の状態や要求に応じた芳香成分を含む芳香剤を選択して使用する。
【００２９】
洗髪に際しては、貫通孔開閉手段８を洗髪用ボウル１の内側面に取り付けて、貫通孔１ｈを閉塞させた後に、シャワー４にて洗髪を行う。貫通孔１ｈは、貫通孔開閉手段により閉塞させた状態となっているため、水やゴミなどが貫通孔１ｈを通って収納空間２に侵入する事態が防止される。被施術者は、洗髪により頭皮や髪全体をスッキリとさせるだけでなく、アロマテラピー効果により精神的にもリラックスした状態となる。
【００３０】
このアロマテラピーは洗髪前に限らず、洗髪と同時、又は、洗髪後に施術しても良い。洗髪と同時に施術する場合は、貫通孔開閉手段８を取り付けることなく、貫通孔１ｈを開口させた状態とし、洗髪を行いながら芳香成分を排出させる。芳香成分の排出量を多くしたり、貫通孔１ｈの直径を小さくしたりすれば、貫通孔１ｈからの水等の侵入を抑えることができる。本発明の洗髪台Ｓによれば、洗髪の前後や洗髪と同時にアロマテラピーを行うことができるため、施術者や被施術者の時間的・精神的な負担も少なく、アロマテラピー用のスペースを別途設ける必要もない。
【００３１】
洗髪用ボウル１は陶器製であるため、被施術者に対して視覚的にも癒し効果を与えることができる。基台３や開口開閉手段７などの他の部材につていも陶器製とし、さらに視覚的癒し効果を高めても良い。洗髪等の作業の際には、施術者は洗髪台Ｓの後方に立つことが好ましい。施術者が洗髪台Ｓの横に立つ場合は、腕や身体の影が被施術者の視界に入り不快感を与える場合がある。本実施の形態の洗髪台Ｓによれば、シャワー４のホースが基台３内部に引き込まれているため、洗髪台Ｓの後方に施術者用の作業スペースを設けることが可能であり、施術者は洗髪台Ｓ後方に設けられた作業スペースに立って洗髪等の作業を行うことにより、被施術者に不快感を与える事態を防止できる。
【００３２】
収納空間２を清掃する際には、開口開閉手段７を固定している複数の固定手段７ａの一部を解除して開口開閉手段７を折り畳み、開口２ａの略半分が開口した状態とし、その開口２ａからブラシ等を挿入して収納空間２を清掃する。略半分の清掃が終了すると、開口を閉じて固定手段７ａを留めた後に、他方側の略半分を開口させて清掃する。このように半分ごとに清掃すれば、収納空間２の内部を隅々まできれいにすることができる。被施術者ごとに効能（目的）を異にする芳香剤（アロマオイル等）を使用する場合は、香りが混合しないように、各被施術者ごとに収納空間を隅々まできれいに清掃することが求められる。そこで、例えばラベンダーによる施術の後にローズで施術する場合は、ラベンダーによる施術の終了後に、開口開閉手段７を開閉して収納空間２を隅々まできれいに清掃し、その後にローズを収納する。芳香剤を交換するごとに収納空間２を清掃すれば、香りが混合することがなく、目的に応じた香りによる施術を的確に行うことができる。また、開口開閉手段７の全体を基台３から取り外す手間が生じず、清掃の労力が軽減される。また、全体を一気に清掃したい場合は、総ての固定手段７ａを解除して、開口開閉手段７の全体を取り外せば良い。排水パイプ９を清掃するときは、基台３の背面に設けられた小窓１１のドアを開き、受皿１０に溜まったゴミ等を除去する。
【図面の簡単な説明】
【００３３】
【図１】本実施の形態における洗髪台を示す斜視図。
【図２】上記洗髪台の断面図。
【図３】上記洗髪台の背面図。
【図４】上記洗髪台の開口開閉手段を折畳んで、収納空間の開口を開口させる状態を説明する説明図。
【図５】貫通孔開閉手段を洗髪台に取り付けたときの一部断面図。
【符号の説明】
【００３４】
Ｓ    洗髪台
１    洗髪用ボウル
１ｈ  貫通孔
２    収納空間
２ａ  開口
３    基台
３ａ  取付枠
４    シャワー
５    クッション
６    排水口
７    開口開閉手段
７ａ  固定手段
７ｂ  境界
７ｃ  注入孔
８    貫通孔開閉手段
９    排水パイプ
１０  受皿
１１  小窓
１２ａ，１２ｂ，１２ｃ  操作ボタン
【図１】
2005279112.tif 000003
【図２】
2005279112.tif 000004
【図３】
2005279112.tif 000005
【図４】
2005279112.tif 000006
【図５】
2005279112.tif 000007